(57)【要約】【課題】映像専用測定器なしに撮影中の白バランスの手動調整または遠隔調整を容易にする制御表示方法を提供する。【解決手段】白バランスを手動調整する手段または遠隔調整する手段と、各色の映像信号の過大信号を除去したピークから被写体色温度または被写体を白バランス調整するのに必要な色利得等の制御量を算出する手段と、被写体色温度または制御量をビューファインダまたは画面モニタに表示する手段とを有するカラー撮像装置において、ビューファインダまたは画面モニタに該撮像装置の設定色温度と被写体の色温度とを並列表示する、または被写体を白バランス調整するのに必要な色制御量を表示する。【選択図】図１
2008199207.tif 000002
【特許請求の範囲】
【請求項１】
白バランスを調整する手段を有するカラー撮像装置において、該撮像装置の設定色温度と被写体の色温度とを並列表示すること、または、被写体を白バランス調整するのに必要な制御量を表示することの少なくとも一方を実施することを特徴とする撮像装置の制御表示方法。
【発明の詳細な説明】
【技術分野】
【０００１】
本発明は、テレビジョンカメラの改良に関するものである。
【背景技術】
【０００２】
従来からカラーテレビジョンカメラにおいて、光源から被写体に照射される光の波長分布の違いを補正する、所謂、映像信号の白バランス調整が行われている。既記白バランス調整には、任意の時点において一度だけ白バランス調整を行うワンタイム補正と常に白バランス調整を行い続けるリアルタイム補正がある。ワンタイム補正において、白バランス調整の終了時に調整結果と被写体の色温度を情報表示している。（特許文献１参照）
また、画面左上にはマニュアルホワイトバランスで撮影した画像とそのときカメラに設定した色温度が表示され、画面右上にはオートホワイトバランスで算出された撮影時の被写体の温度情報とその色温度に設定して撮影したときのシミュレーション画像が表示される電子カメラの技術が提案されている。（特許文献２参照）
さらに、白バランス調整時に、照明光の鏡面反射等の各色の映像信号の過大信号を除去するテレビジョンカメラの技術が提案されている。図４の従来のテレビジョンカメラの構成を示すブロック図の９のゲート回路と１０の過大信号除去部と１１のピーク検出部と１２の制御部（ＣＰＵ）で実現している。詳細は発明を実施するための最良の形態で説明する。（特許文献３参照）
家庭用テレビジョンカメラは白バランス調整を行い続けるリアルタイム補正が一般的であるが、放送用テレビジョンカメラは、カメラマンやビデオエンジニア等が白バランスを手動調整または遠隔調整するのが一般的である。白バランスを調整する方法としては、赤と青の撮像素子の感度を調整する方法と、赤と青の利得を調整する方法と、色差の利得を調整する方法と、色温度を調整する方法とがある。
【特許文献１】特開平８−３２２０６１号公報
【特許文献２】特開２００１−２５１６３５号公報
【特許文献３】特開２００４−２８９７０１号公報
【発明の開示】
【発明が解決しようとする課題】
【０００３】
放送用テレビジョンカメラは白バランスを手動調整または遠隔調整するのが一般的であるが、波形モニタやベクトルスコープと称される映像専用測定器を用いないと、撮影中に、白バランスを手動調整または遠隔調整するのは困難であった。
【０００４】
本発明は、これらの問題を解消し、映像専用測定器なしに、白バランスの手動調整または遠隔調整を容易にする制御表示方法を提供することを目的とする。
【課題を解決するための手段】
【０００５】
本発明は、上記課題を解決するため、白バランスを調整する手段を有するカラー撮像装置において、該撮像装置の設定色温度と被写体の色温度とを並列表示する、または、被写体を白バランス調整するのに必要な制御量を表示するの少なくとも一方を実施する。
【０００６】
具体的には、上記撮像装置において、白バランスを手動調整する手段または遠隔調整する手段の少なくとも一方と、撮像部と、各色の映像信号から所定範囲の映像信号を取り出すゲート部と、映像信号の過大信号を除去する過大信号除去部と、映像信号の白レベルを検出するピーク検出部と、該ピーク検出部出力から制御情報を算出し前記撮像部の色感度または色利得を制御する制御部と、上記制御情報をビューファインダあるいは画面モニタに表示するための文字出力部とを備え、ビューファインダあるいは画面モニタに文字情報やキャラクタによる疑似棒グラフの個数や色の変化として前記撮像装置の設定色温度と被写体の色温度とを並列表示する、または、被写体で白バランス調整するのに必要な制御量を表示する。
【発明の効果】
【０００７】
本発明は、上述により、自動的に白バランス調整を行わない状態においてもリアルタイムにテレビジョンカメラの設定色温度と被写体の色温度をビューファインダあるいは画面モニタに文字情報としてカメラマンやビデオエンジニア等に提供する。あるいは、赤と青の撮像素子の感度または赤と青の利得または色差の利得または色温度などの白バランス調整に必要な制御量を、ビューファインダまたは画面モニタに、文字情報または棒グラフまたはキャラクタによる疑似棒グラフの個数変化またはキャラクタによる疑似棒グラフの色変化として表示することにより、カメラマンやビデオエンジニア等に提供する。
【０００８】
その結果、映像専用測定器なしに、撮影中でも容易に白バランスを手動調整または遠隔調整できる。
【発明を実施するための最良の形態】
【０００９】
以下、本発明の一実施例を図１の本発明の一実施例の被写体に必要な色制御量の表示画面を示す図と図２の本発明の他の一実施例のテレビジョンカメラの設定色温度と被写体色温度の表示画面を示す図と図３の本発明のテレビジョンカメラの構成を示すブロック図とを用いて説明する。
【００１０】
本発明のテレビジョンカメラの構成を示すブロック図である図３は、従来のテレビジョンカメラの構成を示すブロック図である図４と文字出力部１３が異なる。図３において、１はレンズ、２はカラーテレビジョンカメラ、３はビューファインダ、４は画像モニタである。５は色分解光学系（一般にプリズム）である。６，７，８は撮像部であり、一般にＣＣＤ撮像素子と雑音を除去するＣＤＳ（Correlated Double Sampling）と暗電流補正と利得可変増幅回路（Automatic Gain Control以下ＡＧＣ）とデジタル映像信号Ｖｉに変換するＡＤＣ（Analog Digital Converter）とを内蔵したフロントエンドプロセッサ（ＦＥＰ）とＣＣＤ駆動回路からなる。６，７，８はまたは前記機能を統合したＣＭＯＳ撮像素子でも超高感度撮像管と周辺回路でも良い。９はゲート回路、１０は過大信号除去部、１１はピーク検出部、１２は制御部（ＣＰＵ）、１３は文字信号出力部である。
【００１１】
図３において、白バランス調整は、赤Ro、緑Go、青Boの各映像信号が、白色被写体の撮像時に１：１：１となるように各色映像信号の利得を調整または撮像素子の感度を調整するようになされている。従来より図３に示す白バランス補正回路が用いられており、レベル検出器より、赤Ro、緑Go、青Bo各映像信号のピーク値を検出し、各映像信号のピーク値が等しくなるように赤、青信号の利得を調整する方式が用いられている。白バランス調整を行うことで得られた赤、青信号の利得制御値を基に被写体の色温度を以下の近似式より算出する。
６次近似式：
Y=( 0.0000005*X6- 0.000002*X5 - 0.00006*X4 + 0.0006*X3
+ 0.0096*X2 - 0.1445*X + 3.1848 ) * 1000
X：赤と青の利得差=(Rg-Bg)dB
制御部１２から送られる、制御量または色温度の情報Ch1またはCh2に基づき文字信号出力部１３は文字情報を映像に重畳する。その結果、求めた色温度をビューファインダあるいは画面モニタに文字情報として表示する。
リアルタイムに被写体の色温度算出を以下の方法により行う。
【００１２】
白バランス調整を行っていない状態で、現在の赤と青の信号の利得制御値Ｒｇ，Ｂｇと、リアルタイムに検出する赤Ro、緑Go、青Bo各映像信号のピーク値（Ｒp,Ｇp,Ｂp）より、赤Ro、緑Go、青Bo各映像信号が１：１：１となるに必要な赤と青の信号の加算利得制御値ΔＲｇ，ΔＢｇを求め、Ｒｇ+ΔＲｇ，Ｂｇ+ΔＢｇの利得差をＸとして前述の近似式より算出する。この時のピーク値検出、色温度算出は毎フィールド行う。
ΔＲｇ＝20*log（Ｇp／Ｒp）、ΔＢｇ＝20*log（Ｇp／Ｂp）
制御部１２から送られる、制御量または色温度の情報Ch1とCh2に基づき文字信号出力部１３は文字情報を映像に重畳する。その結果、上述により求めた色温度を図２の本発明の他の一実施例の設定色温度と被写体色温度の表示画面を示す図のように、被写体色温度として、リアルタイムにテレビジョンカメラ設定色温度とともにビューファインダあるいは画面モニタに文字情報として表示する。
【００１３】
また、図１の本発明の一実施例の被写体に必要な色制御量の表示画面を示す図の（ａ）のように、設定色温度と被写体色温度の差分をビューファインダあるいは画面モニタに文字情報として表示する。または、上記の加算利得制御値ΔＲｇとΔＢｇとをビューファインダあるいは画面モニタに表示するのに、図１の（ｂ）のように文字情報としても、図１の（ｃ）のようにキャラクタによる疑似棒グラフの個数変化としても、図１の（ｄ）のようにやキャラクタによる疑似棒グラフの色変化として表示しても良い。
【００１４】
ビューファインダあるいは画面モニタに表示する加算色制御値は、上記の赤と青の利得だけでなく、色差の利得でも良い。さらに、電子増倍型撮像素子等感度可変の撮像素子を用いた場合は、撮像素子の感度の制御でも良い。
【００１５】
リアルタイムの色温度や必要な制御量の表示はユーザ設定により表示する／表示しない（ＯＮ／ＯＦＦ）の設定を可能にする。
【図面の簡単な説明】
【００１６】
【図１】本発明の一実施例の被写体に必要な色制御量の表示画面を示す図
【図２】本発明の他の一実施例のテレビジョンカメラの設定色温度と被写体色温度の表示画面を示す図
【図３】本発明のテレビジョンカメラの構成を示すブロック図
【図４】従来のテレビジョンカメラの構成を示すブロック図
【符号の説明】
【００１７】
１：レンズ、２：カラーテレビジョンカメラ、３：ビューファインダ、
４：画像モニタ、５：色分解光学系、６，７，８：撮像部、
９：ゲート部、１０：過大信号除去部、１１：ピーク検出部、
１２：制御部（ＣＰＵ）、１３：文字出力部
Bo：青映像信号、Go：緑映像信号、Ro：赤映像信号、
B1,G1,R1：ゲート処理された各色の映像信号、
B2,G2,R2：過大信号除去処理された各色の映像信号、
B3,G3,R3：各色の映像信号のピーク検出値、
Gr：赤の利得制御電圧、Gb：青の利得制御電圧
Ch1,Ch2：制御量または色温度の情報
【図１】
2008199207.tif 000003
【図２】
2008199207.tif 000004
【図３】
2008199207.tif 000005
【図４】
2008199207.tif 000006